(57)【要約】  開弁時と閉弁時とにおいて弁体が受ける圧力の差が小さいリリーフ弁を提供する。筒状部（４）と、弁体（３）と、付勢部材（５）とを備えたリリーフ弁（１０）は、弁体（３）が、軸方向第１側（Ｌ１）に油圧受面（１１）を有すると共に、軸方向第２側（Ｌ２）に付勢部材（５）が当接する付勢部材当接部（２５）を有し、筒状部（４）は、筒状部（４）の内壁（６０）に開口部（７０）を有して径方向（Ｒ）に貫通する排出油路（７）を備え、排出油路（７）の開口部（７０）は、弁体（３）が排出油路（７）の開口部（７０）を閉塞する初期位置にある状態で油圧受面（１１）が油圧を受ける第１受圧面積と、弁体（３）が開口部（７０）を開口する開口位置にある状態で油圧受面（１１）が油圧を受ける第２受圧面積とが同等である。
2018212289.tif 000002
【特許請求の範囲】
【請求項１】
筒状部と、前記筒状部の内壁に沿って軸方向に摺動する弁体と、前記弁体を付勢する付勢部材とを備えたリリーフ弁であって、
前記弁体は、軸方向の一方側の軸方向第１側に油圧受面を有すると共に、前記軸方向第１側とは反対側の軸方向第２側に前記付勢部材が当接する付勢部材当接部を有し、
前記筒状部は、前記内壁に開口部を有して径方向に貫通する排出油路を備え、
前記排出油路の前記開口部は、前記弁体が最も前記軸方向第１側に位置している初期位置にある状態で閉塞され、前記弁体が前記初期位置よりも前記軸方向第２側に移動した開口位置にある状態で開口するように形成され、
前記弁体が前記初期位置にある状態で前記油圧受面が油圧を受ける第１受圧面積と、前記弁体が前記開口位置にある状態で前記油圧受面が油圧を受ける第２受圧面積とが同等であるリリーフ弁。
【請求項２】
前記弁体は、前記油圧受面とは異なる被係止部を有し、前記内壁は、前記被係止部を係止して前記弁体が前記軸方向第１側へ移動することを規制する係止部を有する請求項１に記載のリリーフ弁。
【請求項３】
前記被係止部は、前記初期位置において前記開口部よりも前記軸方向第２側に位置する請求項２に記載のリリーフ弁。
【請求項４】
前記弁体は、前記被係止部よりも前記軸方向第１側に位置する第１弁体部と、前記被係止部よりも前記軸方向第２側に位置する第２弁体部とを有し、前記第１弁体部と前記第２弁体部との境界において前記第１弁体部の外径である第１外径よりも前記第２弁体部の外径である第２外径の方が大きく、前記被係止部は、前記第１弁体部と前記第２弁体部との境界における段差によって形成されている請求項３に記載のリリーフ弁。
【請求項５】
前記被係止部は、前記軸方向第２側の外径に比べて、前記軸方向第１側の外径を小さくする逃げ部を備えている請求項４に記載のリリーフ弁。
【請求項６】
前記第１弁体部は、同一径の柱状に形成され、前記第１弁体部の外周部が前記筒状部の前記内壁を摺動する請求項４又は５に記載のリリーフ弁。
【請求項７】
前記第１弁体部は、外径が前記第１外径で同一径の柱状であり、前記第２弁体部は、外径が前記第２外径で同一径の柱状であり、前記第１弁体部の外周部である第１外周部及び前記第２弁体部の外周部である第２外周部の双方が、前記筒状部の前記内壁を摺動する請求項４又は５に記載のリリーフ弁。
【請求項８】
前記開口部は、前記筒状部の内壁の周方向に均等な間隔で複数個形成されている請求項１から７の何れか一項に記載のリリーフ弁。
【発明の詳細な説明】
【技術分野】
【０００１】
本発明は、筒状部と、筒状部の内壁に沿って軸方向に摺動する弁体と、弁体を付勢する付勢部材とを備えたリリーフ弁に関する。
【背景技術】
【０００２】
下記に出典を示す特許文献１には、油圧回路の圧力が設定値に達した際に開弁し、流体を排出路から排出させて回路内の圧力を低下させ、油圧回路の圧力を制御するリリーフ弁が開示されている（以下、背景技術において括弧内の符号は特許文献１のもの。）。このリリーフ弁は、弁体（５）が初期状態の時には、弁体（５）の先端面における面取部（５３）がリリーフ開口（１２ａ）の弁体通路（１１）の側の内面に当接し、弁体通路（１１）とリリーフ流路（１２）との間の流体の流通を遮断して、リリーフ開口（１２ａ）を閉状態とする。この構成では、弁体（５）によってリリーフ開口（１２ａ）が閉状態となっている場合に弁体（５）の先端部が圧力を受ける面積と、リリーフ開口（１２ａ）が開状態となっている場合に弁体（５）の先端部が圧力を受ける面積とが異なることになる。具体的には、開状態の弁体（５）の受圧面積よりも閉状態の弁体（５）の受圧面積の方が小さくなる。このため、リリーフ弁が閉状態から開状態に遷移する場合の圧力（開圧）と、開状態から閉状態に遷移する場合の圧力（閉圧）とが異なり、いわゆる開圧と閉圧との間にヒステリシスが生じることになる。
【先行技術文献】
【特許文献】
【０００３】
【特許文献１】特開２０１５−２５５５１号公報
【発明の概要】
【発明が解決しようとする課題】
【０００４】
上記背景に鑑みて、開弁時と閉弁時とにおいて弁体が受ける圧力の差が小さいリリーフ弁の提供が望まれる。
【課題を解決するための手段】
【０００５】
１つの態様として、上記に鑑みた、筒状部と、前記筒状部の内壁に沿って軸方向に摺動する弁体と、前記弁体を付勢する付勢部材とを備えたリリーフ弁は、
前記弁体が、軸方向の一方側の軸方向第１側に油圧受面を有すると共に、前記軸方向第１側とは反対側の軸方向第２側に前記付勢部材が当接する付勢部材当接部を有し、
前記筒状部は、前記内壁に開口部を有して径方向に貫通する排出油路を備え、
前記排出油路の前記開口部は、前記弁体が最も前記軸方向第１側に位置している初期位置にある状態で閉塞され、前記弁体が前記初期位置よりも前記軸方向第２側に移動した開口位置にある状態で開口するように形成され、
前記弁体が前記初期位置にある状態で前記油圧受面が油圧を受ける第１受圧面積と、前記弁体が前記開口位置にある状態で前記油圧受面が油圧を受ける第２受圧面積とが同等である。【０００６】
この構成によれば、初期位置にある弁体が開口部を開けるように動き始める際の第１受圧面積と、開口位置にある弁体が開口部を閉じるときの第２受圧面積とが同等であるから、開弁時と閉弁時とにおいて弁体が受ける圧力の差をほぼ無くすことができる。また、弁体の初期位置に対して、弁体が軸方向第２側に移動した位置に、開口部が開口する開口位置が設定されているので、弁体が初期位置から開口位置に遷移するまでの移動量を少なくすることが容易である。つまり、弁体のストローク量を小さくすることができるので、リリーフ弁の軸方向長さが長くなることが抑制される。このように、本構成によれば、開弁時と閉弁時とにおいて弁体が受ける圧力の差が小さいリリーフ弁を提供することができる。【０００７】
リリーフ弁のさらなる特徴と利点は、図面を参照して説明する実施形態についての以下の記載から明確となる。
【図面の簡単な説明】
【０００８】
【図１】初期位置にあるリリーフ弁を含む油圧回路の部分断面図
【図２】初期位置と開口位置との間にあるリリーフ弁を含む油圧回路の部分断面図
【図３】開口位置にあるリリーフ弁を含む油圧回路の部分断面図
【図４】排出油路の配置の一例を模式的に示す軸直交断面図
【図５】排出油路の配置の一例を模式的に示す軸直交断面図
【図６】弁体の先端部で排出油路の開口部を平面的に塞ぐ例を示す模式図
【発明を実施するための形態】
【０００９】
以下、リリーフ弁の実施形態を図面に基づいて説明する。図１〜図３は、リリーフ弁１０を含む油圧回路２０の一部分の断面図である。油圧回路２０は、例えば、内燃機関や回転電機などの自動車の車輪の駆動力源、そのような駆動力源と車輪とを結ぶ動力伝達経路（変速機など）、作動油としてのオイルを吐出するオイルポンプのポンプボディなどに形成される。リリーフ弁１０は、通常動作時には閉弁しており、油圧回路２０内の対象箇所の油圧が予め規定された設定値を超えた場合に開弁して、作動油の一部を油圧回路２０から排出油路７に排出する油圧弁である。
【００１０】
図１〜図３に示すように、リリーフ弁１０は、油圧回路２０が形成されるブロック体９０に形成された筒状部４と、筒状部４の内壁６０に沿って軸方向Ｌに摺動する弁体３と、弁体３を付勢する付勢部材５とを備えている。弁体３は、軸方向Ｌの一方側の軸方向第１側Ｌ１に油圧受面１１を有すると共に、軸方向第１側Ｌ１とは反対側の軸方向第２側Ｌ２に付勢部材５が当接する付勢部材当接部２５を有している。尚、弁体３は、後述するように、相対的に軸方向第１側Ｌ１に位置する第１弁体部１と、軸方向第２側Ｌ２に位置する第２弁体部２とが一体的に形成されている。上述した油圧受面１１は第１弁体部１に設けられ、付勢部材当接部２５は第２弁体部２に設けられている。
【００１１】
付勢部材５は、例えばコイルスプリングである。本実施形態では、筒状部４の最も軸方向第２側Ｌ２において筒状部４の内部に固定されたプラグ６と、付勢部材当接部２５との間に付勢部材５が配置されている。第２弁体部２は、軸方向第２側Ｌ２に延びる規制部２６を備えている。この規制部２６は、付勢部材５（コイルスプリング）の内径よりも小径で軸方向第２側Ｌ２に延びるように形成されている。プラグ６の軸方向第１側Ｌ１には受け部６６が形成されている。弁体３の軸方向第２側Ｌ２への移動は、規制部２６と受け部６６とが当接する位置で規制される（図３参照）。
【００１２】
筒状部４は、内壁６０に開口部７０を有して径方向Ｒに貫通する排出油路７を備えている。図１〜図３に示すように、排出油路７は、筒状部４に向けて開口部７０が開口するように、ブロック体９０に形成されている。排出油路７の開口部７０は、弁体３が最も軸方向第１側Ｌ１に位置している初期位置（図１に示す位置）にある状態で閉塞され、弁体３が初期位置よりも軸方向第２側Ｌ２に移動した開口位置（図３に示す位置）にある状態で開口するように形成されている。本実施形態では、図２に示す弁体３の位置に対して、弁体３が軸方向第１側Ｌ１に位置している場合には、開口部７０が閉塞され、弁体３が軸方向第２側Ｌ２に位置している場合には、開口部７０の少なくとも一部が開口する。
【００１３】
尚、開口部７０は、筒状部４の内壁６０の周方向に均等な間隔で複数個形成されていると好適である。つまり、図４及び図５に例示するように、開口部７０に連通する排出油路７は、放射状に等間隔（等角度）離間するように形成されていると好適である。開口部７０及び排出油路７が偶数個（ｎを自然数として２ｎ個）設けられる場合、図４に示すように、開口部７０及び排出油路７は、円筒状の筒状部４の中心に対して対称となる位置に形成されていると好適である。図５に示すように、例えば、１２０度間隔で３つ形成する形態も好適であり、開口部７０及び排出油路７は、奇数個（ｎを自然数として（２ｎ−１）個）設けられてもよい。開口部７０及び排出油路７を筒状部４の周方向に沿って均等に設けることで、排出油路７を通って周方向に均等に作動油が排出されるので、弁体３が開口位置にある際の受圧受面における周方向の圧力のバラツキが低減される。つまり、弁体３に対して径方向Ｒに沿って作用する応力が抑制される。
【００１４】
弁体３は、初期位置において開口部７０よりも軸方向第２側Ｌ２に位置する被係止部３３を有している。また、筒状部４の内壁６０は、被係止部３３を係止して弁体３が軸方向第１側へＬ１移動することを規制する係止部４３を有する。弁体３は、相対的に軸方向第１側Ｌ１に位置する第１弁体部１と軸方向第２側Ｌ２に位置する第２弁体部２とを有すると上述した。具体的には、この被係止部３３よりも軸方向第１側Ｌ１に位置する部分を第１弁体部１と称し、被係止部３３よりも軸方向第２側Ｌ２に位置する部分を第２弁体部２と称する。第１弁体部１と第２弁体部２との境界において第１弁体部１の外径である第１外径φ１よりも第２弁体部の外径である第２外径φ２（及び逃げ部外径φ３）の方が大きく、被係止部３３は、第１弁体部１と第２弁体部２との境界における段差によって形成されている（外径“φ１〜φ２”については、図２参照。）。
【００１５】
尚、被係止部３３は、軸方向第２側Ｌ２の外径（第２外径φ２）に比べて、軸方向第１側の外径（逃げ部外径φ３）を小さくなるように形成された逃げ部３４を備えている（図２参照）。逃げ部３４により、第２内壁部６２と係止部４３を形成する壁面との境界に位置する角部Ｅの半径が小さくなるように（角部Ｅが尖るように）加工しなくても、被係止部３３が当該角部Ｅに当たらないようにすることができる。つまり、被係止部３３に逃げ部３４を設けることによって、係止部４３の形状に関する制約（及びその製造に係る制約）を緩和することができる。
【００１６】
尚、図１〜図３では、軸方向第２側Ｌ２に比べて軸方向第１側Ｌ１の方が小径となるような段差を形成することによって逃げ部３４を設ける形態を例示しているが、逃げ部３４の形状はこの形態に限定されるものではない。例えば、軸方向第２側Ｌ２から軸方向第１側Ｌ１に向かうに従って径方向Ｒの内側に傾斜する傾斜面を形成することによって逃げ部３４が設けられてもよい。
【００１７】
第１弁体部１は、外径が第１外径φ１の同一径の柱状に形成され、第１弁体部１の外周部である第１外周部１４が筒状部４の内壁を摺動する。同様に、第２弁体部２は、外径が第２外径φ２で同一径の柱状に形成され、第２弁体部２の外周部である第２外周部２４が筒状部４の内壁を摺動する。弁体３が第１弁体部１及び第２弁体部２を有していることと同様に、筒状部４は、係止部４３よりも軸方向第１側Ｌ１に位置して内径が第１内径の第１筒状部４１と、係止部４３よりも軸方向第２側Ｌ２に位置して内径が第１内径よりも大きい第２内径の第２筒状部４２とを有している。第１筒状部４１の内壁６０である第１内壁部６１を第１外周部１４が摺動し、前記第２筒状部の内壁６０である第２内壁部６２を第２外周部２４が摺動する。図面が煩雑となるために、第１内径及び第２内径については、図示を省略しているが、第１内径は、第１外径φ１と同等（弁体３が摺動する程度に第１外径φ１よりもやや大きい長さ）であり、第２内径は、第２外径φ２と同等（弁体３が摺動する程度に第２外径φ２よりもやや大きい長さ）である。
【００１８】
尚、符号９１，９２は、筒状部４に対して開口した背圧逃がし孔である。第１背圧逃がし孔９１は、弁体３が軸方向Ｌに沿って移動する際に、第２弁体部２に形成された被係止部３３と筒状部４の係止部４３との間で、空気や作動油などが圧縮或いは膨張されることによって生じる背圧を逃がすために設けられている。第２背圧逃がし孔９２は、弁体３が軸方向Ｌに沿って移動する際に、第２弁体部２とプラグ６との間で、空気や作動油などが圧縮或いは膨張されることによって生じる背圧を逃がすために設けられている。
【００１９】
図６に示すように、油圧を受ける弁体３０の先端部３０ｔが、開口部７０Ｂを平面的に塞ぐ構成の場合、弁体３０の先端部３０ｔの一部は開口部７０Ｂの周囲に当接して開口部７０Ｂを塞ぐことになる。このため、弁体３０によって開口部７０Ｂが閉状態となっている場合に弁体３０が圧力を受ける面積（ＳＣＬ＝π（Ａ／２）２）と、開口部７０Ｂが開状態となっている場合に弁体３０が圧力を受ける面積（ＳＯＰ＝π（Ｂ／２）２）とが異なることになる（Ａ＜Ｂ，ＳＣＬ＜ＳＯＰ）。つまり、リリーフ弁が閉状態から開状態に遷移する場合の圧力（開圧）と、開状態から閉状態に遷移する場合の圧力（閉圧）とが異なり、いわゆる開圧と閉圧との間にヒステリシスが生じることになる。
【００２０】
しかし、本実施形態のリリーフ弁１０では、弁体３が初期位置にある状態で油圧受面１１が油圧を受ける第１受圧面積と、弁体３が開口位置にある状態で油圧受面１１が油圧を受ける第２受圧面積とが、共に“π（φ１／２）２”であり、同等である。従って、リリーフ弁１０が閉状態から開状態に遷移する場合の圧力（開圧）と、開状態から閉状態に遷移する場合の圧力（閉圧）とが同等となり、開圧と閉圧との間にヒステリシスが生じることが抑制される。
【００２１】
例えば、特許文献１のリリーフ弁では、初期位置において、油圧受面１１に相当する受圧頂部（５２）が弁体（５）に当接している（括弧内の符号は特許文献１のもの。）。従って、初期位置において受圧頂部（５２）が受ける油圧と、初期状態から開弁する方向に弁体（５）が移動した位置で受圧頂部（５２）が受ける油圧とは本実施形態ほど同等とすることはできず、異なるものとなる。このため、本実施形態のリリーフ弁よりもヒステリシスが生じる可能性がある。特許文献１では、弁体（５）の初期位置から、排出油路（２）の開口部まで（開口位置まで）の距離を長くすることによって、このヒステリシスを軽減し、排出油路（２）に対する開圧と閉圧との間でのヒステリシスの発生を抑制するようにしている。しかし、このために軸方向の長さが本実施形態よりも長くなっており、リリーフ弁の小型化が妨げられている。
【００２２】
ところで、上記においては、弁体３が、初期位置において開口部７０よりも軸方向第２側Ｌ２に位置する被係止部３３を有し、内壁６０が、被係止部３３を係止して弁体３が軸方向第１側Ｌ１へ移動することを規制する係止部４３を有する形態を例示した。しかし、初期位置において油圧受面１１が係止部４３等に当接しなければ、初期位置と開口位置とで受圧面積が変化することを抑制することができる。従って、被係止部３３の位置は、開口部７０よりも軸方向第２側Ｌ２に限定されるものではない。弁体３は、油圧受面１１とは異なる被係止部３３を備えていればよい。当業者であれば、そのような改変は容易であるから、具体例及び詳細な説明は省略する。
【００２３】
〔実施形態の概要〕
以下、上記において説明したリリーフ弁（１０）の概要について簡単に説明する。
【００２４】
１つの態様として、筒状部（４）と、前記筒状部（４）の内壁（６０）に沿って軸方向（Ｌ）に摺動する弁体（３）と、前記弁体（３）を付勢する付勢部材（５）とを備えたリリーフ弁（１０）は、
前記弁体（３）が、軸方向（Ｌ）の一方側の軸方向第１側（Ｌ１）に油圧受面（１１）を有すると共に、前記軸方向第１側（Ｌ１）とは反対側の軸方向第２側（Ｌ２）に前記付勢部材（５）が当接する付勢部材当接部（２５）を有し、
前記筒状部（４）は、前記内壁（６０）に開口部（７０）を有して径方向（Ｒ）に貫通する排出油路（７）を備え、
前記排出油路（７）の前記開口部（７０）は、前記弁体（３）が最も前記軸方向第１側（Ｌ１）に位置している初期位置にある状態で閉塞され、前記弁体（３）が前記初期位置よりも前記軸方向第２側（Ｌ２）に移動した開口位置にある状態で開口するように形成され、
前記弁体（３）が前記初期位置にある状態で前記油圧受面（１１）が油圧を受ける第１受圧面積と、前記弁体（３）が前記開口位置にある状態で前記油圧受面（１１）が油圧を受ける第２受圧面積とが同等である。
【００２５】
この構成によれば、初期位置にある弁体（３）が開口部（７０）を開けるように動き始める際の第１受圧面積と、開口位置にある弁体（３）が開口部（７０）を閉じるときの第２受圧面積とが同等であるから、開弁時と閉弁時とにおいて弁体（３）が受ける圧力の差をほぼ無くすことができる。また、弁体（３）の初期位置に対して、弁体（３）が軸方向第２側（Ｌ２）に移動した位置に、開口部（７０）が開口する開口位置が設定されているので、弁体（３）が初期位置から開口位置に遷移するまでの移動量を少なくすることができる。つまり、弁体（３）のストローク量を小さくすることができるので、リリーフ弁（１０）の軸方向長さが長くなることが抑制される。このように、本構成によれば、開弁時と閉弁時とにおける弁体（３）の受圧面の圧力差が小さいリリーフ弁（１０）を提供することができる。
【００２６】
ここで、前記弁体（３）は、前記油圧受面（１１）とは異なる被係止部（３３）を有し、前記内壁（６０）は、前記被係止部（３３）を係止して前記弁体（３）が前記軸方向第１側（Ｌ１）へ移動することを規制する係止部（４３）を有すると好適である。
【００２７】
この構成によれば、油圧受面（１１）とは異なる被係止部（３３）によって、弁体（３）の軸方向第１側（Ｌ１）への移動が規制されて、初期位置が設定されることになる。つまり、初期位置において油圧受面（１１）が係止部（４３）等に当接しないので、初期位置と開口位置とで受圧面積が変化することを抑制することができる。
【００２８】
ここで、前記被係止部（３３）は、前記初期位置において前記開口部（７０）よりも前記軸方向第２側（Ｌ２）に位置すると好適である。
【００２９】
この構成によれば、弁体（３）は油圧受面（１１）及び開口部（７０）よりも軸方向第２側（Ｌ２）において、軸方向第１側（Ｌ１）への移動が規制されて、初期位置が設定されることになる。つまり、初期位置において油圧受面（１１）が係止部（４３）等に当接しないので、初期位置と開口位置とで受圧面積が変化することを抑制することができる。
【００３０】
また、前記弁体（３）は、前記被係止部（３３）よりも前記軸方向第１側（Ｌ１）に位置する第１弁体部（１）と、前記被係止部（３３）よりも前記軸方向第２側（Ｌ２）に位置する第２弁体部（２）とを有し、前記第１弁体部（１）と前記第２弁体部（２）との境界において前記第１弁体部（１）の外径である第１外径（φ１）よりも前記第２弁体部（２）の外径である第２外径（φ２）の方が大きく、前記被係止部（３３）は、前記第１弁体部（１）と前記第２弁体部（２）との境界における段差によって形成されていると好適である。
【００３１】
上述したように、弁体（３）は、軸方向第１側（Ｌ１）に油圧受面（１１）を有すると共に、軸方向第２側（Ｌ２）に付勢部材（５）が当接する付勢部材当接部（２５）を備えている。また、軸方向第１側（Ｌ１）に位置する第１弁体部（１）の第１外径（φ１）よりも、軸方向第２側（Ｌ２）に位置する第２弁体部（２）の第２外径（φ２）の方が大径である。つまり、付勢部材（５）は、より大径の第２弁体部（２）の側に設置されるので、例えばコイルバネ等で付勢部材（５）を構成する場合に、当該コイルバネの径を大きくすることができる。コイルバネの径を大きくすることによって、軸方向（Ｌ）の長さを長くしなくても必要な付勢力を得易くなるので、リリーフ弁（１０）の軸長を短くすることが容易となる。
【００３２】
また、前記被係止部（３３）は、前記軸方向第２側（Ｌ２）の外径（φ２）に比べて、前記軸方向第１側（Ｌ１）の外径（φ３）を小さくする逃げ部（３４）を備えていると好適である。
【００３３】
逃げ部（３４）により、係止部（３４）の形状に対する制約を少なくすることができる。また、逃げ部（３４）と背圧逃がし孔（９１）などとが連通するように構成することで、弁体（３）が移動する際の抵抗を低減することができる。
【００３４】
また、前記第１弁体部（１）は、同一径の柱状に形成され、前記第１弁体部（１）の外周部（１４）が前記筒状部（４）の前記内壁（６０）を摺動すると好適である。
【００３５】
柱状の第１弁体部（１）が筒状部（４）の内壁（６０）を摺動することにより、軸方向（Ｌ）に沿って弁体（３）が円滑に移動できる。また、筒状部（４）の内壁（６０）に開口部（７０）を有して径方向（Ｒ）に貫通する排出油路（７）の当該開口部（７０）を、摺動によって適切に開閉することができる。
【００３６】
また、１つの態様として、前記第１弁体部（１）は、外径が前記第１外径（φ１）で同一径の柱状であり、前記第２弁体部（２）は、外径が前記第２外径（φ２）で同一径の柱状であり、前記第１弁体部（１）の外周部である第１外周部（１４）及び前記第２弁体部（２）の外周部である第２外周部（２４）の双方が、前記筒状部（４）の前記内壁（６０）を摺動すると好適である。
【００３７】
柱状の第１弁体部（１）が筒状部（４）の内壁（６０）を摺動することで、軸方向（Ｌ）に沿って弁体（３）が円滑に移動できる。また、筒状部（３）の内壁（６０）に開口部（７０）を有して径方向（Ｒ）に貫通する排出油路（７）の当該開口部（７０）を、摺動によって適切に開閉することができる。さらに、柱状の第２弁体部（２）も筒状部（４）の内壁（６０）を摺動するので、軸方向（Ｌ）に沿った弁体（３）の姿勢がより安定し、弁体（３）の傾きが抑制される。
【００３８】
また、前記開口部（７０）は、前記筒状部（４）の内壁（６０）の周方向に均等な間隔で複数個形成されていると好適である。
【００３９】
この構成によれば、排出油路（７）を通って周方向に均等に作動油が排出されるので、弁体（３）が開口位置にある際の受圧受面（１１）における周方向の圧力のバラツキが低減され、弁体（３）に対して径方向（Ｒ）に沿って作用する応力も抑制される。
【符号の説明】
【００４０】
１     第１弁体部
２     第２弁体部
３     弁体
４     筒状部
５     コイルバネ（付勢部材）
７     排出油路
１０   リリーフ弁
１１   油圧受面
１４   第１弁体の外周部、第１外周部
２４   第２外周部
２５   付勢部材当接部
３３   被係止部
３４   逃げ部
４３   係止部
６０   内壁
７０   開口
Ｌ     軸方向
Ｌ１   軸方向第１側
Ｌ２   軸方向第２側
Ｒ     径方向
φ１   第１外径
φ２   第２外径
【図１】
2018212289.tif 000003
【図２】
2018212289.tif 000004
【図３】
2018212289.tif 000005
【図４】
2018212289.tif 000006
【図５】
2018212289.tif 000007
【図６】
2018212289.tif 000008
【国際調査報告】
2018212289.tif 000009
2018212289.tif 000010
2018212289.tif 000011
2018212289.tif 000012